(57)【要約】  【課題】  セラミック成形体やセラミック焼結体の表面に生成する反応物を抑制した梱包体、包装体および梱包方法を提供する。  【解決手段】  梱包容器13の内部にセラミック成形体またはセラミック焼結体を収納してなる梱包体１であって、梱包容器13は、筒状体４と、蓋部材５とを備えており、筒状体４の内側には、筒状体４の内周に沿って配置された非吸水性材料からなる第１の衝撃吸収材６と、第１の衝撃吸収材６の内側にポリエチレンまたはポリプロピレンからなる吸湿抑制材７とが配置され、吸湿抑制材７の内側が、セラミック構造体を収納するための収納空間８とされていることで、大気中の水分の浸入を効果的に抑制することができる。それにより、セラミック成形体またはセラミック焼結体の表面に生成する反応物を抑制することができる。【選択図】  図１
2014213913.tif 000002
【特許請求の範囲】
【請求項１】
梱包容器の内部にセラミック成形体またはセラミック焼結体を収納してなる梱包体であって、
前記梱包容器は、筒状体と、蓋部材とを備えており、
該筒状体の内側には、該筒状体の内周に沿って配置された非吸水性材料からなる第１の衝撃吸収材と、該第１の衝撃吸収材の内側にポリエチレンまたはポリプロピレンからなる吸湿抑制材とが配置され、該吸湿抑制材の内側が、前記セラミック成形体またはセラミック焼結体を収納するための収納空間とされていることを特徴とする梱包体。
【請求項２】
前記蓋部材の内側に、前記セラミック成形体または前記セラミック焼結体の一端を覆う第２の衝撃吸収材が配置されていることを特徴とする請求項１に記載の梱包体。
【請求項３】
請求項１または請求項２に記載の梱包体の複数が、第３の衝撃吸収材が配置された包装容器内に収納されてなることを特徴とする包装体。
【請求項４】
請求項１に記載の梱包体を作製する梱包方法であって、
前記セラミック成形体または前記セラミック焼結体を吸湿抑制材内に挿入して封止し、該吸湿抑制材の外周に前記第１の衝撃吸収材を配置して、前記筒状体内に挿入した後、前記蓋部材にて封止することを特徴とする梱包方法。
【請求項５】
前記セラミック成形体または前記セラミック焼結体の端部側または前記蓋部材の内側に前記第２の衝撃吸収材を配置した後に前記蓋部材にて封止する、または内側に前記第２の衝撃吸収材を設けた前記蓋部材にて封止することを特徴とする請求項４に記載の梱包方法。
【発明の詳細な説明】
【技術分野】
【０００１】
本発明は、内部にセラミック成形体またはセラミック焼結体を収納してなる梱包体、包装体および梱包方法に関する。
【背景技術】
【０００２】
ベータアルミナセラミックスやＮＡＳＩＣＯＮ（例えば、組成式がＮａ３Ｚｒ２Ｓｉ２ＰＯ１２として示される。）のようなナトリウムイオン伝導体に代表されるセラミックスは、アルカリイオン伝導性を有するため、電池や各種センサーの固体電解質として用いられている。
【０００３】
そして、このようなセラミックスは、大気中で長期にわたって成形体の状態で保管したり、成形体や焼結体の移送等において湿度の高い環境に曝されたりしたときに、セラミックスに含まれるアルカリイオンと大気中の水分とが反応してセラミックスの表面に反応物が生成する。
【０００４】
このような反応物が生成すると、セラミックスの表面における活性の低下や結晶構造の崩壊等が生じ、機械的強度およびアルカリイオン伝導性がともに低下する。
【０００５】
それゆえ、セラミック成形体またはセラミック焼結体を収納してなる梱包体においては、このような問題を解消する必要があり、例えば、特許文献１では、吸湿性セラミックスを透湿度2.0ｇ／（ｍ２・日）以下のシート状包装材料から形成された袋状容器（吸湿抑
制材）内に収容した梱包体が提案されている。
【先行技術文献】
【特許文献】
【０００６】
【特許文献１】特開2003−26251号公報
【発明の概要】
【発明が解決しようとする課題】
【０００７】
しかしながら、特許文献１に記載された梱包体は、セラミック成形体またはセラミック焼結体を梱包する作業時に袋状容器が傷ついたり、または、移送中に衝撃が加わり袋状容器が傷つくことがあった。そして、その袋状容器の傷に気付かず保管したり、移送したりすると、その袋状容器の傷から大気中の水分がし、セラミック成形体またはセラミック焼結体の表面に反応物が生成するという問題があった。
【０００８】
本発明は、上記問題を解決すべく案出されたものであり、セラミック成形体やセラミック焼結体の表面に生成する反応物を抑制した梱包体、包装体および梱包方法を提供することを目的とするものである。
【課題を解決するための手段】
【０００９】
本発明の梱包体は、梱包容器の内部にセラミック成形体またはセラミック焼結体を収納してなる梱包体であって、梱包容器は、筒状体と、蓋部材とを備えており、筒状体の内側には、筒状体の内周に沿って配置された非吸水性材料からなる第１の衝撃吸収材と、第１の衝撃吸収材の内側にポリエチレンまたはポリプロピレンからなる吸湿抑制材とが配置され、吸湿抑制材の内側が、セラミック成形体またはセラミック焼結体を収納するための収納空間とされていることを特徴とする。
【００１０】
また、本発明の包装体は、上記の梱包体の複数が、第３の衝撃吸収材が配置された包装容器内に収納されてなることを特徴とする。
【００１１】
また、本発明の梱包方法は、上記の梱包体を作製する梱包方法であって、前記セラミック成形体または前記セラミック焼結体を吸湿抑制材内に挿入して封止し、該吸湿抑制材の外周に前記第１の衝撃吸収材を配置して、前記筒状体内に挿入した後、前記蓋部材にて封止することを特徴とする。
【発明の効果】
【００１２】
本発明の梱包体によれば、吸湿抑制材の外側に非吸水性材料からなる第１の衝撃吸収材が配置されていることから大気中の水分の浸入を効果的に抑制することができる。それにより、セラミック成形体またはセラミック焼結体の表面に生成する反応物を抑制することができる。
【００１３】
また、本発明の包装体は、本発明の梱包体の複数が、第３の衝撃吸収材が配置された包装容器内に収納されてなるものであるため、梱包体中のセラミック成形体またはセラミック焼結体の破損を抑制することができる。
【００１４】
また、本発明の梱包方法は、セラミック構造体を吸湿抑制材内に挿入して封止し、吸湿抑制材の外周に第１の衝撃吸収材を配置して、筒状体内に挿入した後、蓋部材にて封止する梱包方法であることから、セラミック成形体またはセラミック焼結体の機械的特性やアルカリイオン電導性を長期に亘って維持することができる梱包体を容易に作製できる。
【図面の簡単な説明】
【００１５】
【図１】本実施形態の梱包体の一例を示す、（ａ）は梱包体の長手方向に平行な断面図、（ｂ）は（ａ）のＡ−Ａ’線における断面図である。
【図２】本実施形態の梱包体の他の一例を示す、（ａ）は梱包体の長手方向に平行な断面図、（ｂ）は（ａ）のＢ−Ｂ’線における断面図である。
【図３】本実施形態の包装体の一例を示す断面図である。
【発明を実施するための形態】
【００１６】
図１は、本実施形態の梱包体の一例を示す、（ａ）は梱包体の長手方向に平行な断面図、（ｂ）は（ａ）のＡ−Ａ’線における断面図である。
【００１７】
図１（ａ），（ｂ）に示す例の梱包体１ａは、梱包容器13の内部にセラミック成形体３ａまたはセラミック焼結体３ｂ（以下、セラミック成形体３ａおよびセラミック焼結体３ｂを総称してセラミック構造体３という。）が収納されている。また、梱包容器13は、筒状体４と、蓋部材５とを備えており、筒状体４の内側には、筒状体４の内周に沿って配置された非吸水性材料からなる第１の衝撃吸収材６と、第１の衝撃吸収材６の内側にポリエチレンまたはポリプロピレンからなる吸湿抑制材７とが配置され、吸湿抑制材７の内側が、セラミック構造体３を収納するための収納空間８とされている。なお、筒状体４と蓋部材５とは、テープ２により固定されている。また、筒状体４と蓋部材５との固定には、テープ以外の公知の方法を用いても構わなく、例えば、接着剤を用いても構わない。また、吸湿抑制材７はシート状であって、セラミック構造体３の外周に巻きつけて配置されてなるものでも構わない。また、セラミック構造体３には、セラミック成形体３ａに熱処理を施すことによって得られる、有機成分を低減あるいは除去したセラミック脱脂体も含まれる。
【００１８】
梱包体１ａがこのような構成であると、セラミック構造体３を梱包する作業時や移送時に吸湿抑制材７が傷ついたとしても、吸湿抑制材７の外側に非吸水性材料からなる第１の
衝撃吸収材６が配置されていることから、大気中の水分（以下、単に水分という。）の浸入を効果的に抑制することができるため、セラミック構造体３の表面に生成する反応物を抑制することができる。また、移送等により梱包体１ａに衝撃が加わっても、その衝撃が筒状体４および蓋部材５、さらには第１の衝撃吸収材６によって吸収されるため、セラミック構造体３の破損を抑制することもできる。それゆえ、セラミック構造体３の機械的特性やアルカリイオン電導性を長期に亘って維持することができる。
【００１９】
また、本実施形態の梱包体１ａは、筒状体４、セラミック構造体３および吸湿抑制材７とはそれぞれ密着していることが好適である。
【００２０】
このような構成であると、セラミック構造体が、筒状体４内で固定されるため、移送等により梱包体１ａに衝撃が加わっても、セラミック構造体３が動かないため、セラミック構造体３と接する吸湿抑制材７が劣化しにくい。
【００２１】
ここで、セラミック構造体３と吸湿抑制材７との間に隙間がある場合、または第１の衝撃吸収材６と吸湿抑制材７との間に隙間がある場合は、隙間に把持材（図示しない。）を挿入することでセラミック構造体３を筒状体４内に固定することができる。
【００２２】
また、把持材は隙間を完全に埋めるものではなく、セラミック構造体３と吸湿抑制材７との間に少なくとも一部隙間を有する、または第１の衝撃吸収材６と吸湿抑制材７との間に少なくとも一部隙間を有するように配置されていてもよい。このような構成であると、隙間があることで、梱包体１ａに衝撃が加わっても、衝撃が隙間により緩衝されやすくなるため、セラミック構造体３がより破損しにくくなる。
【００２３】
また、把持材は第１の衝撃吸収材６と吸湿抑制材７との間に設けられているほうが、把持材とセラミック構造体３とが直接接触しないためセラミック構造体３の表面が傷つきにくくなるため好適である。
【００２４】
ここで、筒状体４および蓋部材５は、例えば、段ボールを用いればよい。また、段ボールは、より薄く、かつより衝撃に対する緩衝性を高く維持するという観点から、波の高さが0.5ｍｍ以上１ｍｍ以下で、30ｃｍ当たりの山数が170以上180以下あるものを用いれば
よい。
【００２５】
また、第１の衝撃吸収材６は、例えば、非吸水性材料からなる樹脂系ポーラス材を用いればよい。樹脂系ポーラス材としては、ポリスチレン系樹脂およびポリフェニレンエーテル系樹脂を含むものであって、これら２種類の樹脂の合計100質量％のうちポリフェニレ
ンエーテル系樹脂の含有量が10質量％以上50質量％以下であることが好適である。このような構成の樹脂系ポーラス材は高い耐熱性を有するため、夏場のように、梱包体１ａが高い外気温に曝される場合でも、熱劣化しにくく、衝撃に対する緩衝性を長期に亘って維持できるとともに、防水性を長期に亘って維持することができる。
【００２６】
また、把持材は、第１の衝撃吸収材６と同じものを用いればよいが、例えば、発泡スチロール等の発泡体を用いることもできる。
【００２７】
図２は、本実施形態の梱包体の他の一例を示す、（ａ）は梱包体の長手方向に平行な断面図、（ｂ）は（ａ）のＢ−Ｂ’線における断面図である。
【００２８】
図２（ａ），（ｂ）に示す例の梱包体１ｂは、図１に示す例の梱包体１aに加え、蓋部
材５の内側に、セラミック構造体３の一端を覆う第２の衝撃吸収材９が配置されている梱包体１ｂである。このような構成であると、梱包体１ｂの端部から加わった衝撃を第２の
衝撃吸収材９によって吸収することができるため、セラミック構造体３はより破損しにくくなる。なお、梱包体１ｂは、内側に第２の衝撃吸収材９を、例えば、接着剤等を用いて設けた蓋部材５を用いても構わない。ここで、第２の衝撃吸収材９は、上述した第１の衝撃吸収材６と同様の材質を用いることができる。
【００２９】
図３は、本実施形態の包装体の一例を示す断面図である。
【００３０】
図３に示す例の包装体10は、梱包体１ａの複数を、板状の第３の衝撃吸収材11が内周に沿って配置された包装容器12内に収納してなるものである。このような構成であると、包装体10に衝撃が加わっても、その衝撃を第３の衝撃吸収材11によって緩衝できるため、セラミック構造体３はさらに破損しにくくなる。なお、包装体10に用いられる第３の衝撃吸収材11は板状のもの以外にも粒状のものを用いても構わない。
【００３１】
ここで、第３の衝撃吸収材11は、第１の衝撃吸収材６と同じ材質のものを用いることができるが、その他として発泡体を用いることもできる。発泡体としては、例えば、コーンスターチ等の生分解性樹脂等を主成分とする発泡体を用いることができる。このような発泡体は、廃棄時に有毒ガスの発生を抑制できるため環境保全の観点から好適である。
【００３２】
次に、本実施形態の梱包方法を説明する。
【００３３】
本実施形態の梱包方法は、図１に示すように、セラミック構造体３を吸湿抑制材７内に挿入して封止し、吸湿抑制材７の外周に第１の衝撃吸収材６を配置して、筒状体４内に挿入した後、蓋部材５にて封止するものである。このような梱包方法を用いれば、セラミック構造体３の機械的特性や絶縁性能を長期に亘って維持することができる梱包体１ａを容易に作製できる。
【００３４】
なお、セラミック構造体３は、シート状のポリエチレンまたはポリプロピレンからなる吸湿抑制材７を外周に巻きつけて封止して梱包しても構わない。また、筒状体４は、例えば、シート状の部材を用いて第１の衝撃吸収材６の外周に巻きつけてテープ等によりシート状の部材を筒状の状態で固定しても構わない。
【００３５】
ここで、第１の衝撃吸収材６と吸湿抑制材７との間に少なくとも一部隙間を有するように把持材を配置する場合には、例えば、把持材を、セラミック構造体３が挿入された吸湿抑制材７の外周に取り付けて、把持材の外周に第１の衝撃吸収材６を配置して、さらに筒状体４内に挿入した後、蓋部材５にて封止すればよい。また、把持材の他の取り付け方としては、例えば、段ボール等のシート状の把持材をセラミック構造体３が挿入された吸湿抑制材７の外周に巻きつけてテープ等を用いて取り付けてもよい。なお、セラミック構造体３と吸湿抑制材７との間に少なくとも一部隙間を有するように把持材を配置する場合は、把持材を、セラミック構造体３の外周に取り付けて、把持材が取り付けられたセラミック構造体３を吸湿抑制材７内に挿入して封止し、吸湿抑制材７の外周に第１の衝撃吸収材６を配置して、筒状体４内に挿入した後、蓋部材５にて封止すればよい。
【００３６】
本実施形態の梱包方法は、図２に示すように、セラミック構造体３の端部側または蓋部材５の内側に第２の衝撃吸収材９を配置した後に、蓋部材５にて封止することで、セラミック構造体３がより破損しにくくなる梱包体１ｂを容易に作製することができる。
【００３７】
また、本実施形態の梱包方法は、水分との反応性が高いアルカリイオン伝導体からなるセラミック構造体や、強度の弱い多孔質のセラミック構造体を内包する梱包体を作成するにあたり特に有効である。なお強度の弱い多孔質のセラミック構造体とは、気孔率が、例えば、25％以上であるセラミック構造体３のことである。
【００３８】
以上、本実施形態について詳細に説明したが、本発明は上述の実施形態に限定されるものではなく、本発明の要旨を逸脱しない範囲内において、種々の変更、改良等が可能である。
【符号の説明】
【００３９】
１：梱包体
２：テープ
３：セラミック構造体
３ａ：セラミック成形体
３ｂ：セラミック焼結体
４：筒状体
５：蓋部材
６：第１の衝撃吸収材
７：吸湿抑制材
８：収納空間
９：第２の衝撃吸収材
10：包装体
11：第３の衝撃吸収材
12：包装容器
13：梱包容器
【図１】
2014213913.tif 000003
【図２】
2014213913.tif 000004
【図３】
2014213913.tif 000005